(57)【要約】【課題】マイクロホン装置の動作状態が確認し易く、かつテーブル等を伝搬して再生される振動雑音を効果的に抑制することができるマイクロホン装置を提供すること。【解決手段】音声信号を電気信号に変換するマイクロホンユニット３を収容したマイクロホンケース２が、光透過性の弾性素材により形成された連結部材１１を介してスタンドアーム２５によって支持され、前記マイクロホンケース２もしくは前記スタンドアーム２５側に収容された光源（ＬＥＤ）１４からの光が、前記連結部材１１を介して外部に投射されるように構成されている。前記光源１４は、前記マイクロホンユニット３からの音声信号が出力されるオン状態において、点灯されるように制御される。【選択図】図１
2015070465.tif 000002
【特許請求の範囲】
【請求項１】
音声信号を電気信号に変換するマイクロホンユニットを収容したマイクロホンケースが、光透過性の弾性素材により形成された連結部材を介してスタンドアームによって支持され、前記マイクロホンケースもしくは前記スタンドアーム側に収容された光源からの光が、前記連結部材を介して外部に投射されるように構成したことを特徴とするマイクロホン装置。
【請求項２】
前記光源は、前記マイクロホンユニットからの音声信号が出力されるオン状態において、点灯されるように構成したことを特徴とする請求項１に記載されたマイクロホン装置。
【請求項３】
前記連結部材は、前記マイクロホンケース側に嵌合して連結される第１連結部と、前記スタンドアーム側に嵌合して連結される第２連結部と、前記第１および第２連結部の間に位置して、前記光源からの光を外部に投射する光表示部とが備えられていることを特徴とする請求項１または請求項２に記載されたマイクロホン装置。
【請求項４】
前記光表示部は、前記連結部材の中央部に位置し、前記第１連結部および第２連結部よりも大径に形成されていることを特徴とする請求項３に記載されたマイクロホン装置。
【請求項５】
前記連結部材の前記第１連結部から光表示部および第２連結部に至る軸芯部分には、中空状に貫通された軸孔が形成されていることを特徴とする請求項３または請求項４に記載されたマイクロホン装置。
【発明の詳細な説明】
【技術分野】
【０００１】
この発明は、例えば会議場の発言台や会議出席者の卓上にそれぞれ設置される会議用マイクロホン装置として好適に利用し得るマイクロホン装置に関する。
【背景技術】
【０００２】
会議場の発言台や出席者の卓上ごとに設置されるマイクロホン装置として、グースネック型マイクロホン装置が多用されており、このグースネック型マイクロホン装置は、角度や高さ調節が容易になし得るフレキシブルパイプを備えた首の長いスタンドアームの先端部に、マイクロホンユニットを収容したマイクロホンケースが取り付けられている。
【０００３】
また、このグースネック型マイクロホン装置に利用されるマイクロホンユニットについても、小型で軽量なコンデンサマイクロホンが用いられており、このコンデンサマイクロホンのインピーダンス変換器を動作させるために、マイクロホンの信号線を利用して外部から電源を得ることができるファントム給電方式が採用されている。
【０００４】
前記した会議場等に設置されるマイクロホンシステムにおいては、無用な話声等を含むノイズ成分の混入を避けるために、発言者以外のマイクロホンからの信号は遮断（オフ）され、発言者のマイクロホンからの音声信号のみが取り込まれる（オンされる）ように制御される場合がある。
【０００５】
各マイクロホン装置のそれぞれのオン・オフ操作は、各人がそれぞれのマイクロホンに備えられたスイッチを操作する場合もあり、また会議場の全体を見渡せるオペレータが、遠隔操作をする場合もある。
したがって、音声信号が入力可能なオン状態のマイクロホン装置には、その状態を示す表示ランプ（ＬＥＤ）が点灯されるように構成したマイクロホン装置が提供されている。
【０００６】
図２は、前記した会議場に設置される従来のグースネック型マイクロホン装置の一例を示したものであり、会議場の発言台もしくは出席者が着座するテーブルＴの一部には、マイクロホンケースを支持するスタンドアームの取付け孔Ｔｈが穿設されている。
そして、この取付け孔Ｔｈを利用してグースネック型マイクロホン装置１が、テーブルＴ上にほぼ垂直に樹立した状態で取り付けられる。
【０００７】
符号２１は、前記マイクロホン装置１のベース筐体であり、このベース筐体２１は円筒状に形成され、その下端部は若干縮径されて前記テーブルＴに穿設された取付け孔Ｔｈに挿入されて固定されるようになされ、その内部にコネクタ２１ａが収容されている。
なお、図には示されていないが、前記テーブルＴの裏面側には、前記ベース筐体１１内の前記コネクタ２１ａに接続されるファントム給電装置への接続端子が配置されている。
【０００８】
前記ベース筐体１１の上部には、順に第１フレキシブルパイプ２２、中継パイプ２３、第２フレキシブルパイプ２４が接続されて、スタンドアーム２５を構成しており、このスタンドアーム２５の先端部に、マイクロホンユニットを収容したマイクロホンケース２が取り付けられている。
【０００９】
また、前記したグースネック型マイクロホン装置１におけるベース筐体２１の一部には、光透過部材で閉塞された窓孔２１ｂが形成され、その内部にマイクロホン装置のオン状態において点灯される表示ランプとしての光源（ＬＥＤ）が収容されている（図示せず）。なお、前記した構成のグースネック型マイクロホン装置は、次に示す特許文献１に開示されている。
【先行技術文献】
【特許文献】
【００１０】
【特許文献１】特開２００９−１８８４９１号公報
【発明の概要】
【発明が解決しようとする課題】
【００１１】
ところで、特許文献１に開示されたグースネック型マイクロホン装置においては、マイクロホンのオン状態を示す表示ランプとしての光源（ＬＥＤ）は、前記したとおりテーブル面に取り付けられるベース筐体２１の一部に配置されているため、表示ランプの設置位置がテーブル面に近く、その表示を認識し難いという問題が生ずる。
例えば、前記したとおり会議場の全体を見渡せるオペレータが、通話の統制をとりつつ各マイクロホンのオン・オフ制御を遠隔操作しようとする場合には、オペレータはオン状態のマイクロホンを目視で認識し難いものとなる。
【００１２】
一方、前記した会議場に設置されるグースネック型マイクロホン装置１は、テーブル上に樹立するようにして取り付けられるため、テーブル上で比較的厚手の資料等を移動させた時の振動や、キーボード等を操作することよる振動が、前記テーブルを介してマイクロホン装置（マイクロホンユニット）に伝搬し易く、このためにマイクロホン装置は振動雑音を拾う度合いが大きいものとなる。
【００１３】
この発明は、会議場等において利用される前記したマイクロホン装置の前記した特有の問題点に着目してなされたものであり、マイクロホン装置のオン・オフ制御の状態が確認し易く、かつテーブル等を伝搬して再生される前記した振動雑音を効果的に抑制することができるマイクロホン装置を提供することを課題とするものである。
【課題を解決するための手段】
【００１４】
前記した課題を解決するためになされたこの発明に係るマイクロホン装置は、音声信号を電気信号に変換するマイクロホンユニットを収容したマイクロホンケースが、光透過性の弾性素材により形成された連結部材を介してスタンドアームによって支持され、前記マイクロホンケースもしくは前記スタンドアーム側に収容された光源からの光が、前記連結部材を介して外部に投射されるように構成したことを特徴とする。
【００１５】
そして前記光源は、前記マイクロホンユニットからの音声信号が出力されるオン状態において、点灯されるように構成される。
また、前記連結部材の好ましい形態においては、前記マイクロホンケース側に嵌合して連結される第１連結部と、前記スタンドアーム側に嵌合して連結される第２連結部と、前記第１および第２連結部の間に位置して、前記光源からの光を外部に投射する光表示部とが備えられる。
【００１６】
加えて、前記光表示部は、前記連結部材の中央部に位置し、前記第１連結部および第２連結部よりも大径に形成されていることが望ましく、さらに前記連結部材の前記第１連結部から光表示部および第２連結部に至る軸芯部分には、中空状に貫通された軸孔が形成されていることが望ましい。
【発明の効果】
【００１７】
この発明に係る前記したマイクロホン装置によると、マイクロホンユニットを収容したマイクロホンケースが、光透過性の弾性素材により形成された連結部材を介してスタンドアームによって支持された構成が採用される。
そして、前記マイクロホンケースもしくは前記スタンドアーム側に収容された光源からの光が、前記連結部材を介して外部に投射されるように構成されているので、マイクロホン装置の動作状態を示す光表示部を、マイクロホンユニットの直近の高い位置に配置することができ、その動作状態の確認を容易にすることができる。
【００１８】
また、前記スタンドアームを介して伝搬する振動を、前記連結部材を構成する弾性素材により効果的に遮断することができるので、振動雑音を大幅に抑制することができるマイクロホン装置を提供することができる。
すなわち、前記した連結部材が光表示部と振動雑音の抑制作用の機能を果たすので、部品点数の削減および製品コストの低減を図ることも可能となる。
【図面の簡単な説明】
【００１９】
【図１】この発明に係るマイクロホン装置の要部を示した断面図である。
【図２】従来のグースネック型マイクロホン装置の一例を示した外観図である。
【発明を実施するための形態】
【００２０】
この発明に係るマイクロホン装置について、図１に示す実施の形態に基づいて説明する。なお図１に示す構成は、スタンドアームの上端部にマイクロホンユニットを含むマイクロホンケースが取り付けられた状態を示しており、この図１に示すマイクロホン装置の全体構成は、すでに説明した図２に示したスタンドアーム２５を備えたグースネック型マイクロホン装置１と同様である。
ただし、マイクロホン装置の動作状態（オン状態）を示す表示手段は、従来のベース筐体２１からマイクロホンケースの直後に配置代えされている点に相異があり、この点については後で詳細に説明する。
【００２１】
図１に示すマイクロホン装置１は、図２に示すスタンドアーム２５と同様に構成された第２フレキシブルパイプ２４の上端部に、マイクロホンユニットを含むマイクロホンケース２が取り付けられている。
すなわち、マイクロホンケース２は円筒状に形成されて、その有底状一端部（図１に示す上端部）には、複数のスリットが形成されることで音導入部２ａを構成しており、この音導入部２ａの直後におけるマイクロホンケース２内に、周知の振動板および固定極等を備えたコンデンサ型マイクロホンユニット３が配置されている。
【００２２】
前記マイクロホンユニット３の背面には、マイクロホンユニットの出力端子ピン４が突設して配置されており、この出力端子ピン４は板バネによる接触子５を介してＦＥＴ等を含むインピーダンス変換器６に接続されている。
前記インピーダンス変換器６は、基板７に搭載されており、このインピーダンス変換器６を搭載した基板７は、マイクロホンケース２内に取り付けられた内筒体８によって支持されている。
【００２３】
前記したマイクロホンユニット３等を収容したマイクロホンケース２の他端部（図１に示す下端部）は、連結部材１１を介してスタンドアーム２５によって支持されている。
なお、この実施の形態においては、スタンドアーム２５の第２フレキシブルパイプ２４の上端部に、取付けアダプタ１２が取り付けられており、したがって前記マイクロホンケース２は、前記連結部材１１および前記取付けアダプタ１２を介してスタンドアーム２５の第２フレキシブルパイプ２４に取り付けられている。
【００２４】
前記取付けアダプタ１２には円筒状の嵌合部１２ａが形成され、この嵌合部１２ａが第２フレキシブルパイプ２４の上端部に嵌合して取り付けられ、また取付けアダプタ１２の他端部は円筒状に形成されて、大径の開口部１２ｂが形成されている。
加えて、この実施の形態においては、取付けアダプタ１２の大径の開口部１２ｂにおける内径寸法は、前記マイクロホンケース２の前記した他端部に形成された開口部２ｂの内径寸法とほぼ同一となるように構成されている。
【００２５】
一方、前記連結部材１１は全体が光透過性の弾性素材により形成されており、前記マイクロホンケース２側の開口部２ｂに嵌合して連結される第１連結部１１ａと、前記スタンドアーム側の取付けアダプタ１２の開口部１２ｂに嵌合して連結される第２連結部１１ｂと、前記第１連結部１１ａおよび第２連結部１１ｂの間に位置して、後述する光源（ＬＥＤ）からの光を外部に投射する光表示部１１ｃとが備えられている。
【００２６】
加えて、前記光表示部１１ｃは、前記第１連結部１１ａおよび第２連結部１１ｂよりも大径に形成されて、前記マイクロホンケース２および取付けアダプタ１２よりも外側に、円環状に突出した状態となるように構成されている。
さらに、前記連結部材１１には、前記第１連結部１１ａから光表示部１１ｃおよび第２連結部１１ｂに至る軸芯部分に、中空状に貫通された直線状の軸孔１１ｄが形成されている。
【００２７】
前記マイクロホンケース２の開口部２ｂ内には、基板１３に搭載された光源（ＬＥＤ）１４が配置されており、前記マイクロホンケース２の開口部２ｂに、前記連結部材１１の第１連結部１１ａが挿入されて嵌合されることにより、前記光源１４は連結部材１１に形成された軸孔１１ｄ内に臨むように構成されている。
また前記光源（ＬＥＤ）１４は、マイクロホンユニット３からの音声信号が出力されるオン状態において点灯されるように制御される。
【００２８】
この構成により、前記光源（ＬＥＤ）１４からの光は、連結部材１１に形成された軸孔１１ｄ内から連結部材１１内を透過し、円環状に突出して形成された光表示部１１ｃにおいて外部に投射されるように作用する。
さらに、連結部材１１に形成された前記軸孔１１ｄは、これを利用してマイクロホンユニット３からの音声信号の信号線や、前記光源（ＬＥＤ）１４の点灯用のリード線等を適宜収容して配列させることができる。
【００２９】
前記した連結部材１１を構成する光透過性の弾性素材は、例えば、冨田マテックス株式会社（仙台市青葉区一番町）より提供される商品名「成型用透明シリコーンゴム」を好適に利用することができる。
この「成型用透明シリコーンゴム」は、ゴム硬度が４０度〜８０度のものが提供されており、ゴム硬度に応じて品番がＴＳＣＥ４０００〜８０００として定義されている。
前記した光透過性の弾性素材によると、光透過率が９５％程度のものまで提供されており、しかもゴム硬度も前記のとおり適宜選択することができる。
【００３０】
以上の説明で明らかなとおり、この発明に係るマイクロホン装置は、これに利用される前記連結部材１１として、光透過性の弾性素材を用いることで、前記スタンドアーム２５を介して伝搬する振動を効果的に遮断することができ、マイクロホンユニット３において生ずる振動雑音を抑制することができる。
【００３１】
また、前記連結部材１１には円環状に突出した光表示部１１ｃが形成され、この光表示部１１ｃはマイクロホンユニットの直近の高い位置において、リング状に発光するので、マイクロホン装置の動作状態の確認を容易にすることができるなど、前記した発明の効果の欄に記載したとおりの作用効果を得ることができる。
【００３２】
なお、以上説明した実施の形態においては、マイクロホン装置がオン状態において点灯される光源（ＬＥＤ）１４は、マイクロホンケース２内に配置した構成が採用されているが、前記光源１４は前記スタンドアーム２５側、例えば第２フレキシブルパイプ２４に装着された取付けアダプタ１２内に配置した構成としても同様の作用効果を得ることができる。また、前記したマイクロホン装置は、特に会議場において好適に利用することができるが、これは会議場のみならず他の用途にも当然利用することができる。
【符号の説明】
【００３３】
１      マイクロホン装置
２      マイクロホンケース
２ａ    音導入部
２ｂ    開口部
３      マイクロホンユニット
４      出力端子ピン
５      接触子
６      インピーダンス変換器
７      基板
８      内筒体
１１    連結部材
１１ａ  第１連結部
１１ｂ  第２連結部
１１ｃ  光表示部
１１ｄ  軸孔
１２    取付けアダプタ
１２ａ  嵌合部
１２ｂ  開口部
１３    基板
１４    光源（ＬＥＤ）
２１    ベース筐体
２１ａ  コネクタ
２１ｂ  窓孔（表示手段）
２２    第１フレキシブルパイプ
２３    中継パイプ
２４    第２フレキシブルパイプ
２５    スタンドアーム
【図１】
2015070465.tif 000003
【図２】
2015070465.tif 000004